(57)【要約】【課題】  本発明は、電子機器システム、電子機器システムの本体装置、電子機器システムの出力装置、電子機器システムの入力装置、電子機器システムのプログラム装置及び電子機器システムの起動方法に関し、例えば携帯型の音楽プレイヤー、携帯型の地図表示装置等に適用して、直観的な操作により、手軽に所望する機能を確保することができるようにする。【解決手段】  本発明は、プログラムを保持した装置４を対応する装置３と共に本体装置２に接続して、本体装置２の演算処理手段７Ｂがこのプログラムの実行を開始するようにする。【選択図】        図１
2006072867.tif 000002
【特許請求の範囲】
【請求項１】
演算処理手段と複数のコネクタとを少なくとも有する本体装置と、
前記複数のコネクタの１つを介して前記本体装置に接続され、前記演算処理手段の制御により、ユーザーへの提供に供するデータを前記本体装置に入力する入力装置と、
前記複数のコネクタの１つを介して前記本体装置に接続され、前記データをユーザーに提供する出力装置とを備え、
前記入力装置又は出力装置が、前記演算処理手段の実行に供するプログラムを保持し、
前記プログラムを保持した前記入力装置又は前記出力装置と、対応する前記出力装置又は前記入力装置との前記本体装置への接続により、前記本体装置の前記演算処理手段が、前記プログラムの実行を開始し、
前記プログラムに基づいた前記演算処理手段による前記入力装置の制御により、前記入力装置によるデータを前記出力装置から前記ユーザーに提供する
ことを特徴とする電子機器システム。
【請求項２】
演算処理手段と複数のコネクタとを少なくとも有する本体装置と、
前記複数のコネクタの１つを介して前記本体装置に接続され、前記演算処理手段の制御により、ユーザーへの提供に供するデータを前記本体装置に入力する入力装置と、
前記複数のコネクタの１つを介して前記本体装置に接続され、前記データをユーザーに提供する出力装置と、
前記演算処理手段の実行に供するプログラムを保持するプログラム装置とを備え、
前記プログラム装置と、対応する前記入力装置、前記出力装置との前記本体装置への接続により、前記本体装置の前記演算処理手段が、前記プログラム装置に保持された前記プログラムの実行を開始し、
前記プログラムに基づいた前記演算処理手段による前記入力装置の制御により、前記入力装置によるデータを前記出力装置から前記ユーザーに提供する
ことを特徴とする電子機器システム。
【請求項３】
前記入力装置が、音楽ファイルのデータを前記本体装置に入力し、
前記本体装置が、前記プログラムの実行により前記音楽ファイルのデータをデコードして出力し、
前記出力装置が、前記音楽ファイルによるオーディオ信号を出力する
ことを特徴とする請求項１に記載の電子機器システム。
【請求項４】
前記入力装置が、音楽ファイルのデータを前記本体装置に入力し、
前記本体装置が、前記プログラムの実行により前記音楽ファイルのデータをデコードして出力し、
前記出力装置が、前記音楽ファイルによるオーディオ信号を出力する
ことを特徴とする請求項２に記載の電子機器システム。
【請求項５】
前記入力装置が、地図データを前記本体装置に入力し、
前記本体装置が、前記プログラムの実行により前記地図データによる画像データを出力し、
前記出力装置が、前記画像データによる画像を表示する
ことを特徴とする請求項１に記載の電子機器システム。
【請求項６】
前記入力装置が、地図データを前記本体装置に入力し、
前記本体装置が、前記プログラムの実行により前記地図データによる画像データを出力し、
前記出力装置が、前記画像データによる画像を表示する
ことを特徴とする請求項２に記載の電子機器システム。
【請求項７】
前記入力装置が、ラジオ放送を受信して音声データを前記本体装置に入力し、
前記本体装置が、前記音声データを前記出力装置に出力し、
前記出力装置が、前記音声データによる音声を出力する。
ことを特徴とする請求項１に記載の電子機器システム。
【請求項８】
前記入力装置が、ラジオ放送を受信して音声データを前記本体装置に入力し、
前記本体装置が、前記音声データを前記出力装置に出力し、
前記出力装置が、前記音声データによる音声を出力する。
ことを特徴とする請求項２に記載の電子機器システム。
【請求項９】
前記入力装置が、現在位置の検出に供するデータを取得して前記本体装置に入力し、
前記本体装置が、前記入力装置から得られるデータを処理して現在位置を検出し、
前記出力装置が、前記現在位置を表示する
ことを特徴とする請求項１に記載の電子機器システム。
【請求項１０】
前記入力装置が、現在位置の検出に供するデータを取得して前記本体装置に入力し、
前記本体装置が、前記入力装置から得られるデータを処理して現在位置を検出し、
前記出力装置が、前記現在位置を表示する
ことを特徴とする請求項２に記載の電子機器システム。
【請求項１１】
前記本体装置に接続された前記入力装置又は前記出力装置とは異なるプログラムを保持する他の入力装置又は他の出力装置を、前記本体装置に接続された前記入力装置又は前記出力装置と交換して前記本体装置に接続することにより、前記演算処理手段の実行に供するプログラムを切り換えて機能を切り換える
ことを特徴とする請求項１に記載の電子機器システム。
【請求項１２】
前記本体装置に接続された前記プログラム装置とは異なるプログラムを保持する他のプログラム装置を、前記本体装置に接続された前記プログラム装置と交換して前記本体装置に接続することにより、前記演算処理手段の実行に供するプログラムを切り換えて機能を切り換える
ことを特徴とする請求項２に記載の電子機器システム。
【請求項１３】
演算処理手段と複数のコネクタとを少なくとも有する本体装置と、
前記複数のコネクタの１つを介して前記本体装置に接続され、前記演算処理手段の制御により、ユーザーへの提供に供するデータを前記本体装置に入力する入力装置と、
前記複数のコネクタの１つを介して前記本体装置に接続され、前記データをユーザーに提供する出力装置とを備える電子機器システムの前記本体装置であって、
前記入力装置又は出力装置が、前記演算処理手段の実行に供するプログラムを保持し、
前記プログラムを保持した前記入力装置又は前記出力装置と、対応する前記出力装置又は前記入力装置との前記コネクタへの接続により、前記演算処理手段が、前記プログラムの実行を開始し、
前記プログラムに基づいた前記演算処理手段による前記入力装置の制御により、前記入力装置によるデータを前記出力装置から前記ユーザーに提供する
ことを特徴とする電子機器システムの本体装置。
【請求項１４】
前記コネクタに接続された前記入力装置又は前記出力装置とは異なるプログラムを保持する他の入力装置又は他の出力装置を、前記コネクタに接続された前記入力装置又は前記出力装置と交換して前記コネクタに接続することにより、前記演算処理手段の実行に供するプログラムを切り換えて機能を切り換える
ことを特徴とする請求項１３に記載の電子機器システムの本体装置。
【請求項１５】
演算処理手段と複数のコネクタとを少なくとも有する本体装置と、
前記複数のコネクタの１つを介して前記本体装置に接続され、前記演算処理手段の制御により、ユーザーへの提供に供するデータを前記本体装置に入力する入力装置と、
前記複数のコネクタの１つを介して前記本体装置に接続され、前記データをユーザーに提供する出力装置と、
前記演算処理手段の実行に供するプログラムを保持するプログラム装置とを備える電子機器システムの本体装置であって、
前記プログラム装置と、対応する前記入力装置、前記出力装置との前記コネクタへの接続により、前記演算処理手段が、前記プログラム装置に保持された前記プログラムの実行を開始し、
前記プログラムに基づいた前記演算処理手段の前記入力装置の制御により、前記入力装置によるデータを前記出力装置から前記ユーザーに提供する
ことを特徴とする電子機器システムの本体装置。
【請求項１６】
前記コネクタに接続された前記プログラム装置とは異なるプログラムを保持する他のプログラム装置を、前記コネクタに接続された前記プログラム装置と交換して前記コネクタに接続することにより、前記演算処理手段の実行に供するプログラムを切り換えて機能を切り換える
ことを特徴とする請求項１５に記載の電子機器システムの本体装置。
【請求項１７】
演算処理手段と複数のコネクタとを少なくとも有する本体装置と、
前記複数のコネクタの１つを介して前記本体装置に接続され、前記演算処理手段の制御により、ユーザーへの提供に供するデータを前記本体装置に入力する入力装置と、
前記複数のコネクタの１つを介して前記本体装置に接続され、前記データをユーザーに提供する出力装置とを備える電子機器システムの前記出力装置であって、
前記演算処理手段の実行に供するプログラムを保持し、
対応する前記入力装置と共に前記本体装置に接続することにより、前記演算処理手段が、前記プログラムの実行を開始し、
前記プログラムに基づいた前記演算処理手段による前記入力装置の制御により、前記入力装置によるデータを前記ユーザーに提供する
ことを特徴とする電子機器システムの出力装置。
【請求項１８】
演算処理手段と複数のコネクタとを少なくとも有する本体装置と、
前記複数のコネクタの１つを介して前記本体装置に接続され、前記演算処理手段の制御により、ユーザーへの提供に供するデータを前記本体装置に入力する入力装置と、
前記複数のコネクタの１つを介して前記本体装置に接続され、前記データをユーザーに提供する出力装置とを備える電子機器システムの前記入力装置であって、
前記演算処理手段の実行に供するプログラムを保持し、
対応する前記出力装置と共に前記本体装置に接続することにより、前記演算処理手段が、前記プログラムの実行を開始し、
前記プログラムに基づいた前記演算処理手段の制御により、前記出力装置を介して前記データを提供する
ことを特徴とする電子機器システムの入力装置。
【請求項１９】
演算処理手段と複数のコネクタとを少なくとも有する本体装置と、
前記複数のコネクタの１つを介して前記本体装置に接続され、前記演算処理手段の制御により、ユーザーへの提供に供するデータを前記本体装置に入力する入力装置と、
前記複数のコネクタの１つを介して前記本体装置に接続され、前記データをユーザーに提供する出力装置と、
前記演算処理手段の実行に供するプログラムを保持するプログラム装置とを備える電子機器システムの前記プログラム装置であって、
対応する前記入力装置、前記出力装置と共に前記本体装置に接続することにより、前記演算処理手段が前記プログラムの実行を開始し、
前記プログラムに基づいた前記演算処理手段の前記入力装置の制御により、前記入力手段のデータを前記出力手段より前記ユーザーにデータを提供する
ことを特徴とする電子機器システムのプログラム装置。
【請求項２０】
演算処理手段を有する本体装置に、入力装置と出力装置とを接続し、
前記入力装置から出力されるデータを前記出力装置によりユーザーに提供する電子機器システムの起動方法であって、
前記本体装置の演算処理手段の実行に供するプログラムを保持する前記入力装置又は前記出力装置と、対応する前記出力装置又は前記入力装置とを、前記本体装置に接続することにより、前記本体装置の前記演算処理手段が前記プログラムの実行を開始し、
前記プログラムに基づく前記演算処理手段の前記入力装置の制御により、前記入力装置によるデータを前記出力装置より出力する
ことを特徴とする電子機器システムの起動方法。
【請求項２１】
演算処理手段を有する本体装置に、入力装置と出力装置とプログラム装置とを接続し、
前記プログラム装置に保持されたプログラムを前記演算処理手段により実行して前記入力装置の動作を制御し、
前記入力装置から出力されるデータを前記出力装置よりユーザーに提供する電子機器システムの起動方法であって、
前記プログラム装置を、対応する前記入力装置、前記出力装置と共に、前記本体装置に接続することにより、前記本体装置の前記演算処理手段が前記プログラムの実行を開始し、
前記プログラムに基づく前記演算処理手段の前記入力装置の制御により、前記入力装置によるデータを前記出力装置より出力する
ことを特徴とする電子機器システムの起動方法。
【発明の詳細な説明】
【技術分野】
【０００１】
本発明は、電子機器システム、電子機器システムの本体装置、電子機器システムの出力装置、電子機器システムの入力装置、電子機器システムのプログラム装置及び電子機器システムの起動方法に関し、例えば携帯型の音楽プレイヤー、携帯型の地図表示装置等に適用することができる。本発明は、プログラムを保持した装置を対応する装置と共に本体装置に接続して、本体装置の演算処理手段がこのプログラムの実行を開始することにより、直観的な操作により、所望する機能を手軽に確保することができるようにする。
【背景技術】
【０００２】
従来、携帯型の音楽プレイヤーは、音楽プレイヤーとしての機能を確保にするのに必要な入力手段、情報処理手段、出力手段等が装置本体に設けられると共に、交換可能に保持されたメモリカードに音楽ファイルが記録され、この音楽ファイルを再生するようになされている。このようなメモリカードの使用に関して、特開２００３−２２４７８８号公報には、１つのビデオカードで表示困難な高精彩の画像を２つのビデオカードを用いて表示する方法が提案されている。
【０００３】
これに対して同様にメモリカードを使用する機器であるコンピュータは、プログラムのインストールにより所望する機能を確保することができ、このため種々の機能に対応することができるように、各種のハードウエアの構成が設けられ、さらには必要なハードウエアを追加できるようになされている。
【０００４】
また近年、ダイナミックリコンフィギュラブル（動的再構成）技術により、民生機器においても、ソフトウエアの処理により事前に用意されたハードウエアの接続、設定を動的に変化させ、これにより装置としての動作をフレキシブルに変更して使い勝手を向上する機器が提供されるようになされている。
【０００５】
ところで例えば携帯型の音楽プレイヤーを携帯型の地図表示装置として使用することができれば、便利であると考えられる。しかしながらこのような地図表示装置としての機能に対応することができるように携帯型の音楽プレイヤーを構成する場合にあっては、音楽プレイヤーとしては余分な地図表示装置としてのハードウエア構成を設けることになる。これに対してこのような機器を音楽プレイヤーとしてのみ使用する場合も考えられ、この場合は、このような地図表示装置としての構成は余分なものとなる。またこのような携帯型の音楽プレイヤーをＧＰＳ（Global Positioning System ）端末装置としても使用することを望むユーザーも考えられる。
【０００６】
これによりこのような機器において、簡易に所望する機能を確保することができれば、このような各種のユーザーの要望に柔軟に対応することができ、便利であると考えられる。またこのような機能の確保において、必要に応じてハードウエアを変更することができるようにすれば、例えば上述したように音楽プレイヤーとしてのみ使用する場合等に、無駄な構成を省略することができ、その分、ユーザーの利便を図ることができると考えられる。
【０００７】
しかしならがこのようなハードウエアの変更が可能な従来機器であるコンピュータのようにしてハードウエアを変更する場合にあっては、ハードウエアに関する知識がユーザーに求められ、実際上、手軽に所望する機能を確保することが困難な問題がある。これらにより直観的な操作により、所望する機能を手軽に確保することができれば、便利であると考えられる。
【特許文献１】特開２００３−２２４７８８号公報
【発明の開示】
【発明が解決しようとする課題】
【０００８】
本発明は以上の点を考慮してなされたもので、直観的な操作により、所望する機能を手軽に確保することができる電子機器システム、電子機器システムの本体装置、電子機器システムの出力装置、電子機器システムの入力装置、電子機器システムのプログラム装置及び電子機器システムの起動方法を提案しようとするものである。
【課題を解決するための手段】
【０００９】
かかる課題を解決するため請求項１の発明においては、電子機器システムに適用して、演算処理手段と複数のコネクタとを少なくとも有する本体装置と、複数のコネクタの１つを介して本体装置に接続され、演算処理手段の制御により、ユーザーへの提供に供するデータを本体装置に入力する入力装置と、複数のコネクタの１つを介して本体装置に接続され、データをユーザーに提供する出力装置とを備え、入力装置又は出力装置が、演算処理手段の実行に供するプログラムを保持し、プログラムを保持した入力装置又は出力装置と、対応する出力装置又は入力装置との本体装置への接続により、本体装置の演算処理手段が、プログラムの実行を開始し、プログラムに基づいた演算処理手段による入力装置の制御により、入力装置によるデータを出力装置からユーザーに提供する。
【００１０】
また請求項２の発明においては、電子機器システムに適用して、演算処理手段と複数のコネクタとを少なくとも有する本体装置と、複数のコネクタの１つを介して本体装置に接続され、演算処理手段の制御により、ユーザーへの提供に供するデータを本体装置に入力する入力装置と、複数のコネクタの１つを介して本体装置に接続され、データをユーザーに提供する出力装置と、演算処理手段の実行に供するプログラムを保持するプログラム装置とを備え、プログラム装置と、対応する入力装置、出力装置との本体装置への接続により、本体装置の演算処理手段が、プログラム装置に保持されたプログラムの実行を開始し、プログラムに基づいた演算処理手段による入力装置の制御により、入力装置によるデータを出力装置からユーザーに提供する。
【００１１】
また請求項１３の発明においては、演算処理手段と複数のコネクタとを少なくとも有する本体装置と、複数のコネクタの１つを介して本体装置に接続され、演算処理手段の制御により、ユーザーへの提供に供するデータを本体装置に入力する入力装置と、複数のコネクタの１つを介して本体装置に接続され、データをユーザーに提供する出力装置とを備える電子機器システムの本体装置に適用して、入力装置又は出力装置が、演算処理手段の実行に供するプログラムを保持し、プログラムを保持した入力装置又は出力装置と、対応する出力装置又は入力装置とのコネクタへの接続により、演算処理手段が、プログラムの実行を開始し、プログラムに基づいた演算処理手段による入力装置の制御により、入力装置によるデータを出力装置からユーザーに提供する。
【００１２】
また請求項１５の発明においては、演算処理手段と複数のコネクタとを少なくとも有する本体装置と、複数のコネクタの１つを介して本体装置に接続され、演算処理手段の制御により、ユーザーへの提供に供するデータを本体装置に入力する入力装置と、複数のコネクタの１つを介して本体装置に接続され、データをユーザーに提供する出力装置と、演算処理手段の実行に供するプログラムを保持するプログラム装置とを備える電子機器システムの本体装置に適用して、プログラム装置と、対応する入力装置、出力装置とのコネクタへの接続により、演算処理手段が、プログラム装置に保持されたプログラムの実行を開始し、プログラムに基づいた演算処理手段の入力装置の制御により、入力装置によるデータを出力装置からユーザーに提供する。
【００１３】
また請求項１７の発明においては、演算処理手段と複数のコネクタとを少なくとも有する本体装置と、複数のコネクタの１つを介して本体装置に接続され、演算処理手段の制御により、ユーザーへの提供に供するデータを本体装置に入力する入力装置と、複数のコネクタの１つを介して本体装置に接続され、データをユーザーに提供する出力装置とを備える電子機器システムの出力装置に適用して、演算処理手段の実行に供するプログラムを保持し、対応する入力装置と共に本体装置に接続することにより、演算処理手段が、プログラムの実行を開始し、プログラムに基づいた演算処理手段による入力装置の制御により、入力装置によるデータをユーザーに提供する。
【００１４】
また請求項１８の発明においては、演算処理手段と複数のコネクタとを少なくとも有する本体装置と、複数のコネクタの１つを介して本体装置に接続され、演算処理手段の制御により、ユーザーへの提供に供するデータを本体装置に入力する入力装置と、複数のコネクタの１つを介して本体装置に接続され、データをユーザーに提供する出力装置とを備える電子機器システムの入力装置に適用して、演算処理手段の実行に供するプログラムを保持し、対応する出力装置と共に本体装置に接続することにより、演算処理手段が、プログラムの実行を開始し、プログラムに基づいた演算処理手段の制御により、出力装置を介してデータを提供する。
【００１５】
また請求項１９の発明においては、演算処理手段と複数のコネクタとを少なくとも有する本体装置と、複数のコネクタの１つを介して本体装置に接続され、演算処理手段の制御により、ユーザーへの提供に供するデータを本体装置に入力する入力装置と、複数のコネクタの１つを介して本体装置に接続され、データをユーザーに提供する出力装置と、演算処理手段の実行に供するプログラムを保持するプログラム装置とを備える電子機器システムのプログラム装置に適用して、対応する入力装置、出力装置と共に本体装置に接続することにより、演算処理手段がプログラムの実行を開始し、プログラムに基づいた演算処理手段の入力装置の制御により、入力手段のデータを出力手段よりユーザーにデータを提供する。
【００１６】
また請求項２０の発明においては、演算処理手段を有する本体装置に、入力装置と出力装置とを接続し、入力装置から出力されるデータを出力装置によりユーザーに提供する電子機器システムの起動方法に適用して、本体装置の演算処理手段の実行に供するプログラムを保持する入力装置又は出力装置と、対応する出力装置又は入力装置とを、本体装置に接続することにより、本体装置の演算処理手段がプログラムの実行を開始し、プログラムに基づく演算処理手段の入力装置の制御により、入力装置によるデータを出力装置より出力する。
【００１７】
また請求項２１の発明においては、演算処理手段を有する本体装置に、入力装置と出力装置とプログラム装置とを接続し、プログラム装置に保持されたプログラムを演算処理手段により実行して入力装置の動作を制御し、入力装置から出力されるデータを出力装置よりユーザーに提供する電子機器システムの起動方法に適用して、プログラム装置を、対応する入力装置、出力装置と共に、本体装置に接続することにより、本体装置の演算処理手段がプログラムの実行を開始し、プログラムに基づく演算処理手段の入力装置の制御により、入力装置によるデータを出力装置より出力する。
【００１８】
請求項１の構成により、電子機器システムに適用して、演算処理手段と複数のコネクタとを少なくとも有する本体装置と、複数のコネクタの１つを介して本体装置に接続され、演算処理手段の制御により、ユーザーへの提供に供するデータを本体装置に入力する入力装置と、複数のコネクタの１つを介して本体装置に接続され、データをユーザーに提供する出力装置とを備え、入力装置又は出力装置が、演算処理手段の実行に供するプログラムを保持し、プログラムを保持した入力装置又は出力装置と、対応する出力装置又は入力装置との本体装置への接続により、本体装置の演算処理手段が、プログラムの実行を開始し、プログラムに基づいた演算処理手段による入力装置の制御により、入力装置によるデータを出力装置からユーザーに提供すれば、所望する機能に係る入力装置、出力装置を本体装置に接続するだけの簡易かつ直観的な操作により、所望する機能を手軽に確保することができる。
【００１９】
また請求項２の構成により、電子機器システムに適用して、演算処理手段と複数のコネクタとを少なくとも有する本体装置と、複数のコネクタの１つを介して本体装置に接続され、演算処理手段の制御により、ユーザーへの提供に供するデータを本体装置に入力する入力装置と、複数のコネクタの１つを介して本体装置に接続され、データをユーザーに提供する出力装置と、演算処理手段の実行に供するプログラムを保持するプログラム装置とを備え、プログラム装置と、対応する入力装置、出力装置との本体装置への接続により、本体装置の演算処理手段が、プログラム装置に保持されたプログラムの実行を開始し、プログラムに基づいた演算処理手段による入力装置の制御により、入力装置によるデータを出力装置からユーザーに提供すれば、所望する機能に係るプログラム装置、入力装置、出力装置を本体装置に接続するだけの簡易かつ直観的な操作により、所望する機能を手軽に確保することができる。
【００２０】
これらにより請求項１３、１５、１７、１８、１９の構成によれば、このような直観的な操作により、所望する機能を手軽に確保することができる電子機器システムに係る本体装置、出力装置、入力装置、プログラム装置を提供することができる。また請求項２０、２１の構成によれば、直観的な操作により、所望する機能を手軽に確保することができる電子機器システムの起動方法を提供することができる。
【発明の効果】
【００２１】
本発明によれば、直観的な操作により、所望する機能を手軽に確保することができる。
【発明を実施するための最良の形態】
【００２２】
以下、適宜図面を参照しながら本発明の実施例を詳述する。
【実施例１】
【００２３】
（１）実施例の構成
図１は、本発明の実施例に係る電子機器システムを示すブロック図である。この電子機器システム１は、本体装置２、入力装置３及び出力装置４により形成され、これら入力装置３及び出力装置４を本体装置２に接続することにより、入力装置３、出力装置４で決まる機能により動作し、これにより入力装置３及び出力装置４を交換して機能を切り換えることができるようになされている。
【００２４】
ここでこの実施例において、電子機器システム１は、このような切り換えに供する機能として、音楽プレイヤー、地図表示装置、ラジオ受信装置、ＧＰＳ（Global Positioning System ）端末装置の機能が用意され、これによりこれらの機能に対応するように入力装置３、出力装置４が複数種類用意される。
【００２５】
このためこの電子機器システム１において、これらの機能に共通する構成が本体装置２に設けられるのに対し、この共通する構成以外の各機能に係る構成が入力装置３、出力装置４に設けられる。このため入力装置３、出力装置４には、各機能に対応するデータ入力手段３Ａ及び出力手段４Ａがそれぞれ設けられ、またこの実施例では、主に出力装置４に、各機能に係るアプリケーションプログラム（ＡＰ）４Ｂがバイナリープログラムの形式により設けられるようになされている。
【００２６】
すなわち本体装置２において、インターフェース（ＩＦ）５及び６は、入力装置３、出力装置４との接続に供するインターフェースであり、この実施例では、同一のインターフェースが適用される。これにより電子機器システム１では、入力装置３と出力装置４とを入れ換えて本体装置２に接続することができ、またこのように入力装置３と出力装置４とを入れ換えて接続しても、これら入力装置３と出力装置４とによる機能により動作することができるようになされている。インターフェース５、６は、入力装置３、出力装置４の接続、取り外しを検出して処理部７に通知し、また処理部７の制御により、入力装置３、出力装置４と処理部７との間で種々のデータを送受する。この実施例において、インターフェース５、６は、ＵＳＢ（Universal Serial Bus）が適用されるものの、これに代えて例えばＩＥＥＥ (The Institute of Electrical and Electoronics Engineers,Inc.)１３９４等、種々の汎用インターフェースを広く適用することができ、さらには専用インターフェースを適用することができる。
【００２７】
処理部７は、基本プログラム７Ａを有する演算処理回路７Ｂにより構成され、インターフェース５又は６から入力装置３又は出力装置４の接続が通知されると、スリープモードから動作モードを立ち上げ、この基本プログラム７Ａによる起動処理手順を実行する。
【００２８】
ここで図２は、この処理部７における起動処理手順を示すフローチャートである。処理部７は、インターフェース５又は６からの接続の通知によりこの処理手順を開始し、ステップＳＰ１からステップＳＰ２に移る。ここで処理部７は、インターフェース５又は６の双方に、入力装置３、出力装置４による外部装置が接続されているか否か判断し、ここで一方のインターフェース５又は６にだけ外部装置が接続されている場合、このステップＳＰ２で否定結果が得られることにより、ステップＳＰ２からステップＳＰ３に移り、省電力モードに動作モードを戻した後、ステップＳＰ４に移ってこの処理手順を終了する。これにより本体装置２においては、一方のインターフェース５又は６に外部装置が接続されただけの場合には、一旦、省電力モードから動作を立ち上げた後、元の省電力モードに戻って動作を終了する。
【００２９】
これに対してこのようにして一方のインターフェース５又は６に外部装置が接続された状態で、残るインターフェース６又は５に外部装置が接続されることにより、省電力モードから動作を立ち上げてこの起動処理手順を開始した場合、処理部７は、ステップＳＰ２において肯定結果が得られることにより、ステップＳＰ２からステップＳＰ５に移り、ここでインターフェース５、６に接続された外部装置の一方にのみアプリケーションプログラム（ＡＰ）４Ｂが格納されているか否か判断する。ここでインターフェース５、６に接続された外部装置の双方にアプリケーションプログラム４Ｂが格納されている場合、又はこの双方にアプリケーションプログラム４Ｂが格納されていない場合、ユーザーが誤ってインターフェース５、６の双方に出力装置４を接続した場合、又はインターフェース５、６の双方に入力装置３を接続した場合等であることにより、この場合、処理部７は、ステップＳＰ５からステップＳＰ３に移り、省電力モードに動作モードを切り換えた後、ステップＳＰ４に移ってこの処理手順を終了する。なおこのようなアプリケーションプログラムの有無の判定にあっては、例えば入力装置３、出力装置４に設定された識別コードを判定する方法等を適用することができる。
【００３０】
これに対してステップＳＰ５で肯定結果が得られると、処理部７は、ステップＳＰ５からステップＳＰ６に移り、ここで外部装置に保持されたアプリケーションプログラムを起動する。また続くステップＳＰ７において、この起動したアプリケーションプログラムの処理により、残るインターフェースに接続された外部装置が、この起動したアプリケーションプログラムに対応する入力装置３であるか否か判断する。
【００３１】
ここで否定結果が得られると、処理部７は、ステップＳＰ３に移り、省電力モードに動作モードを切り換えた後、ステップＳＰ４に移ってこの処理手順を終了する。これに対してステップＳＰ７で肯定結果が得られると、ステップＳＰ４に移ってこの起動処理手順を終了し、これによりこの起動したアプリケーションプログラムに従って、続く一連の処理を実行する。
【００３２】
これらにより処理部７は、対応する入力装置３及び出力装置４を本体装置２に接続して所望する機能を確保できるようにして、入力装置３及び出力装置４が正しい組み合わせによりインターフェース５、６に接続された場合に限って、出力装置４に内蔵のアプリケーションプログラム４Ｂを実行し、このアプリケーションプログラム４Ｂにより一連の処理を実行してユーザーに音楽等を提供する。
【００３３】
なお本体装置２は、これらの構成の他に、この電子機器システム１における各種機能で共通する構成として、電源回路、操作手段が設けられるようになされている。
【００３４】
図３は、音楽プレイヤーの機能に係る出力装置４１の構成を示すブロック図である。この出力装置４１において、インターフェース１１は、本体装置２のインターフェース５、６に対応するインターフェースであり、本体装置２との間で種々のデータを入出力する。
【００３５】
プログラムメモリ１２は、アプリケーションプログラム４Ｂを格納するメモリであり、この出力装置４１においては、この電子機器システム１を音楽プレイヤーとして機能させるアプリケーションプログラム４Ｂが格納される。なお具体的に、このアプリケーションプログラム４Ｂは、入力装置の動作を制御して入力装置から音楽ファイルのデータを本体装置２に入力すると共に、この音楽データのデコーダとして処理部７を機能させ、その結果得られるオーディオデータをこの出力装置４１に出力させる等のプログラムである。
【００３６】
ディジタルアナログ変換回路（Ｄ／Ａ）１３は、このアプリケーションプログラム４Ｂによる処理部７の処理によりインターフェース１１を介して本体装置２から得られるオーディオデータをディジタルアナログ変換処理し、その処理結果であるアナログ信号によるオーディオ信号を出力し、増幅回路１５は、このオーディオ信号を増幅してジャックＪ１に出力する。これにより音楽プレイヤーの機能に係る出力装置４１は、対応する入力装置３と共に本体装置２に接続して、ジャックＪ１にイヤホン１６Ｌ、１６Ｒを接続することにより、入力装置３による音楽をイヤホン１６Ｌ、１６Ｒにより視聴することができ、またイヤホン１６Ｌ、１６Ｒに代えてスピーカを接続して、入力装置３による音楽をスピーカにより視聴できるようになされている。
【００３７】
この実施例において、この音楽プレイヤーの機能に係る出力装置４１に対して、入力装置３は、メモリカード、ＵＳＢによるハードディスク装置又はＵＳＢによる光ディスク装置等の記録再生装置が適用され、これにより図４に示すように、電子機器システム１では、メモリカード３１及び出力装置４１の接続により、メモリカード３１に記録された音楽ファイルを再生する。また図５及び図６に示すように、メモリカード３１をハードディスク装置（ＨＤＤ）３２又は光ディスク装置３４に交換して、ハードディスク装置３２に記録された音楽ファイル、光ディスク３３に記録された音楽ファイルを再生する。
【００３８】
なおこれらによりこの出力装置４１に格納のアプリケーションプログラム４Ｂは、通常のコンピュータのアプリケーションプログラムと異なり、入力装置３１、３２、３４のアクセスに供するファイル管理システム等に係る各入力装置３１〜３３に対応するインターフェースを保持するようになされ、入力装置３１〜３３に応じてこれらアクセスに供するインターフェースを組み込んで一連の処理を実行するようになされている。
【００３９】
図７は、この音楽プレイヤーに係るこの電子機器システム１の一連の処理手順を示すフローチャートである。この電子機器システム１では、始めにステップＳＰ１１からステップＳＰ１２に移り、本体装置２に入力装置３及び出力装置４１を接続し、続くステップＳＰ１３において、出力装置４１のプログラムメモリ１２に格納されたアプリケーションプログラム４Ｂが起動する。また続くステップＳＰ１４において、このアプリケーションプログラム４Ｂにより入力装置３が、図４〜図６について上述した入力装置３１、３２、３４の何れかであるか否か判断され、ここで否定結果が得られると、ステップＳＰ１５に移って動作を停止する。しかしてこれら一連の処理においては、図２について上述した起動処理手順により実行される。
【００４０】
続いてこの電子機器システム１では、出力装置４１に対応する入力装置３が正しく接続されている場合、アプリケーションプログラム４ＢによりステップＳＰ１６に移り、入力装置３に処理可能な音楽ファイルが格納されているか否か判断され、ここで否定結果が得られると、ステップＳＰ１７に移って動作を停止する。これに対してステップＳＰ１６で肯定結果が得られると、ステップＳＰ１８に移って入力装置３に格納された音楽ファイルを処理部７にロードしてデコードし、続くステップＳＰ１９でスピーカ等より出力する。なおこの図７において、ミュージックプレイヤーは、この音楽プレイヤーの機能に係る出力装置４１に格納されたアプリケーションプログラムの名称である。
【００４１】
図８は、地図表示装置の機能に係る出力装置４２の構成を示すブロック図である。この出力装置４２は、音楽プレイヤーの機能に係る出力装置４１と同一に、インターフェース１１、プログラムメモリ１２が設けられ、この出力装置４２では、プログラムメモリ１２にこの電子機器システム１を地図表示装置として機能させるアプリケーションプログラム４Ｂが格納される。なお具体的に、このアプリケーションプログラム４Ｂは、入力装置に保持された地図データ等を処理部７にロードして処理し、表示に供する画像データ等をこの出力装置４２に出力させる等のプログラムである。
【００４２】
画像メモリ１８は、このアプリケーションプログラム４Ｂの処理部７の処理によりインターフェース１１を介して本体装置２から得られる画像データを入力し、この入力した画像データにより保持した画像データを更新し、液晶表示パネル（ＬＣＤ）１９は、図示しない駆動回路による駆動によりこの画像メモリ１８に保持された画像データによる画像を表示する。これによりこの地図表示装置として機能する出力装置４２は、対応する入力装置３と共に本体装置２に接続して、液晶表示パネル１９に地図を表示し、またこの地図の表示に関連する各種のテキストを表示する。
【００４３】
この実施例において、この地図表示装置の機能に係る出力装置４２に対して、入力装置３は、メモリカード、ＵＳＢによるハードディスク装置又はＵＳＢによる光ディスク装置が適用され、これにより図９に示すように、電子機器システム１では、メモリカード３１及び出力装置４２の接続により、メモリカード３１に記録された地図データによる地図を表示し、さらには図１０に示すように、地図に関連して特定の場所の案内等を表示する。また図１１及び図１２に示すように、メモリカード３１をハードディスク装置（ＨＤＤ）３２又は光ディスク装置３４に交換して、ハードディスク装置３２に記録された地図データによる地図、関連する情報、光ディスク３３に記録された地図データによる地図、関連する情報を表示する。
【００４４】
なおこれらによりこの出力装置４２に格納のアプリケーションプログラム４Ｂにおいては、出力装置４１に格納のアプリケーションプログラム４Ｂと同様に、入力装置３１〜３３のアクセスに供するファイル管理システム等に係る各入力装置３１〜３３に対応するインターフェースを保持し、入力装置３１〜３３に応じてこれらアクセスに供するインターフェースを組み込んで一連の処理を実行する。
【００４５】
図１３は、この地図表示装置に係るこの電子機器システム１の一連の処理手順を示すフローチャートである。この電子機器システム１では、始めにステップＳＰ２１からステップＳＰ２２に移り、本体装置２に入力装置３及び出力装置４２を接続し、続くステップＳＰ１３において、出力装置４２のプログラムメモリ１２に格納されたアプリケーションプログラム４Ｂが起動する。また続くステップＳＰ２４において、このアプリケーションプログラム４Ｂにより入力装置３が、図９〜図１２について上述した入力装置３１、３２、３４の何れかであるか否か判断され、ここで否定結果が得られると、ステップＳＰ２５に移って動作を停止する。しかしてこれら一連の処理においては、図２について上述した起動処理手順により実行される。
【００４６】
続いてこの電子機器システム１では、出力装置４２に対応する入力装置３が正しく接続されている場合、アプリケーションプログラム４ＢによりステップＳＰ２６に移り、入力装置３に処理可能な地図データが格納されているか否か判断され、ここで否定結果が得られると、ステップＳＰ２７に移って動作を停止する。これに対してステップＳＰ２６で肯定結果が得られると、ステップＳＰ２８に移って入力装置３に格納された地図データを処理部７にロードして処理し、続くステップＳＰ２９で液晶表示パネル１９に表示するようになされている。
【００４７】
図１４は、ラジオ受信装置の機能に係る出力装置４３の構成を示すブロック図である。この出力装置４３は、音楽プレイヤーの機能に係る出力装置４１と同一に、インターフェース１１、ディジタルアナログ変換回路１３、増幅回路１５、ジャックＪ１が設けられる。これによりラジオ受信装置の機能に係る出力装置４３は、対応する入力装置３と共に本体装置２に接続して、ジャックＪ１にイヤホン１６Ｌ、１６Ｒを接続することにより、入力装置３で受信したラジオ放送をイヤホン１６Ｌ、１６Ｒにより出力し、またイヤホン１６Ｌ、１６Ｒに代えてスピーカを接続して、入力装置３で受信したラジオ放送をスピーカより出力する。
【００４８】
図１５は、このラジオ受信装置の機能に係る入力装置３５を示すブロック図である。この入力装置３５において、インターフェース２０は、本体装置２のインターフェース５、６に対応するインターフェースであり、本体装置２との間で種々のデータを入出力する。
【００４９】
プログラムメモリ２１は、アプリケーションプログラム４Ｂを格納するメモリであり、この入力装置３５においては、この電子機器システム１をラジオ受信装置として機能させるアプリケーションプログラム４Ｂが格納される。なお具体的に、このアプリケーションプログラム４Ｂは、この入力装置３５に保持された受信部２２を制御し、その結果得られる音声データを出力装置４３に出力する等のプログラムである。
【００５０】
受信部２２は、このアプリケーションプログラム４Ｂの処理部７による実行により、処理部７により制御されてラジオ放送を受信し、その受信結果による音声データを本体装置２を介して出力装置４３に出力するようになされている。
【００５１】
これによりラジオ受信装置の機能に係る入力装置３５、出力装置４３は、図１６に示すように、本体装置２に接続して、ジャックＪ１にイヤホン１６Ｌ、１６Ｒを接続することにより、入力装置３５で受信したラジオ放送をイヤホン１６Ｌ、１６Ｒより出力し、またイヤホン１６Ｌ、１６Ｒに代えてスピーカを接続して、入力装置３５で受信したラジオ放送をスピーカより出力する。
【００５２】
図１７は、このラジオ受信装置の機能に係るこの電子機器システム１の一連の処理手順を示すフローチャートである。この電子機器システム１では、始めにステップＳＰ３１からステップＳＰ３２に移り、本体装置２に入力装置３５及び出力装置４３を接続し、続くステップＳＰ１３において、入力装置３５のプログラムメモリ２１に格納されたアプリケーションプログラム４Ｂが起動する。また続くステップＳＰ３４において、このアプリケーションプログラム４Ｂにより出力装置４が、図１４について上述した出力装置４３か否か判断され、ここで否定結果が得られると、ステップＳＰ３５に移って動作を停止する。しかしてこれら一連の処理においては、図２について上述した起動処理手順により実行される。
【００５３】
続いてこの電子機器システム１では、入力装置３５に対応する出力装置４３が正しく接続されている場合、アプリケーションプログラム４ＢによりステップＳＰ３６に移り、入力装置３５に設けられた受信部２２の制御により、ラジオ放送を受信し、続くステップＳＰ３７において、この受信による音声データを出力装置４３より出力するようになされている。
【００５４】
図１８は、ＧＰＳ端末装置の機能に係る出力装置４４の構成を示すブロック図である。この出力装置４４は、地図表示装置の機能に係る出力装置４２と同一に、インターフェース１１、画像メモリ１８、液晶表示パネル１９が設けられる。これによりこの出力装置４４は、対応する入力装置３と共に本体装置２に接続して、現在位置等を表示する。
【００５５】
図１９は、このＧＰＳ受信装置の機能に係る入力装置３６を示すブロック図である。この入力装置３６において、インターフェース２０は、本体装置２のインターフェース５、６に対応するインターフェースであり、本体装置２との間で種々のデータを入出力する。
【００５６】
プログラムメモリ２４は、アプリケーションプログラム４Ｂを格納するメモリであり、この入力装置３６においては、この電子機器システム１をＧＰＳ受信装置として機能させるアプリケーションプログラム４Ｂが格納される。なお具体的に、このアプリケーションプログラム４Ｂは、この入力装置３６に保持されたＧＰＳ受信部２５の制御、この制御によりＧＰＳ受信部２５の受信結果から現在位置を検出する処理、入力装置３６に保持された地図データを処理して現在位置と共に表示する処理等のプログラムである。
【００５７】
ＧＰＳ受信部２５は、このアプリケーションプログラム４Ｂの処理部７の実行により、処理部７により制御されて、ＧＰＳ衛星からの電波を受信して受信結果を出力する。データメモリ２６は、現在位置の表示に供する地図データを記録して保持する。
【００５８】
これによりＧＰＳ端末装置の機能に係る入力装置３６、出力装置４４は、図２０に示すように本体装置２に接続して、現在位置を地図上に表示できるようになされている。
【００５９】
図２１は、このＧＰＳ端末装置の機能に係る電子機器システム１の一連の処理手順を示すフローチャートである。この電子機器システム１では、始めにステップＳＰ４１からステップＳＰ４２に移り、本体装置２に入力装置３６及び出力装置４４を接続し、続くステップＳＰ４３において、入力装置３６のプログラムメモリ２４に格納されたアプリケーションプログラム４Ｂが起動する。また続くステップＳＰ４４において、このアプリケーションプログラム４Ｂにより出力装置４４が、図１８について上述した出力装置４４か否か判断され、ここで否定結果が得られると、ステップＳＰ４５に移って動作を停止する。しかしてこれら一連の処理においては、図２について上述した起動処理手順により実行される。
【００６０】
続いてこの電子機器システム１では、入力装置３６に対応する出力装置４４が正しく接続されている場合、アプリケーションプログラム４ＢによりステップＳＰ４６に移り、入力装置３６に設けられたＧＰＳ受信部２５の制御により、ＧＰＳ衛星からの電波受信結果を取得し、この受信結果の処理部７による処理により現在位置を計算する。ここで現在位置を正しく取得できたか否か判断し、正しく取得できていない場合には、ステップＳＰ４６からステップＳＰ４７に移った後、ステップＳＰ４６により再度、位置情報を取得する。
【００６１】
これに対して正しく位置情報を取得できた場合、ステップＳＰ４８に移り、ここでこの位置情報によりデータメモリ２６に記録された地図データを取得して処理し、続くステップＳＰ４９において、この地図データによる地図を表示して現在位置を表示する。
【００６２】
（２）実施例の動作
以上の構成において、この電子機器システム１を音楽プレイヤーとして使用する場合、ユーザーにおいては、出力装置４１〜４４のうち、音楽プレイヤーとしての機能を担う出力装置４１を本体装置２に接続し（図１及び図３）、また音楽ファイルの記録媒体に係る入力装置３１、３２、３４を本体装置２に接続することにより、本体装置２に設けられた演算処理回路７Ｂがこれら出力装置４１、入力装置３１、３２、３４からアプリケーションプログラム４Ｂを記録した装置を検出し、この装置のアプリケーションプログラム４Ｂを起動する（図２）。これによりこの場合、電子機器システム１では、出力装置４１に保持されたアプリケーションプログラム４Ｂを演算処理回路７Ｂにより実行して、入力装置３１、３２、３４から音楽ファイルのデータを順次本体装置２にロードし、このデータを処理部７によりデコードして出力装置４１に出力し、この出力装置４１に接続されたイヤホン又はスピーカから音楽ファイルの再生音が出力される。
【００６３】
これによりこの電子機器システム１では、出力装置４１及び入力装置３１、３２、３４を本体装置２に接続するだけの簡易な操作により、また直観的な操作により、手軽に音楽プレイヤーとして機能を確保することができる。
【００６４】
またこの電子機器システム１を地図表示装置として使用する場合、出力装置４１〜４４のうち、地図表示装置としての機能を担う出力装置４２を本体装置２に接続し（図８）、またこの地図データの記録媒体に係る入力装置３１、３２、３４を本体装置２に接続することにより（図９〜図１２）、本体装置２に設けられた演算処理回路７Ｂがこれら出力装置４２、入力装置３１、３２、３４からアプリケーションプログラム４Ｂを記録した装置を検出し、この装置のアプリケーションプログラム４Ｂを起動する（図２）。これによりこの場合、電子機器システム１では、出力装置４２に保持されたアプリケーションプログラム４Ｂを演算処理回路７Ｂにより実行して、入力装置３１、３２、３４から地図データを順次本体装置２にロードし、この地図データを処理部７により処理して出力装置４２に出力し、この出力装置４２に設けられた液晶表示パネル１９により地図等が表示される。
【００６５】
これによりこの電子機器システム１では、出力装置４２及び入力装置３１、３２、３４を本体装置２に接続するだけの簡易な操作により、また直観的な操作により、手軽に地図表示装置としての機能を確保することができる。またこれらによりこの電子機器システム１では、音楽プレイヤーとしての機能を地図表示装置としての機能に切り換える場合、またこれとは逆に地図表示装置としての機能を音楽プレイヤーの機能に切り換える場合、対応するアプリケーションプログラム４Ｂを保持してなる出力装置４１、４２を本体装置２に付け替えるだけの簡易な操作により、またこの出力装置４１、４２の付け替えに対応するように音楽ファイル、地図データに係る入力装置３１、３２、３４を接続するだけの簡易な操作により、直観的に、機能を切り換えることができ、これにより直観的な操作により、手軽に機能を切り換えることができる。
【００６６】
これに対してラジオ受信装置としての機能を確保する場合、電子機器システム１では、対応する出力装置４３及び入力装置３５を本体装置２に接続することにより（図１４〜図１６）、この場合は入力装置３５に設けられたアプリケーションプログラム４Ｂを本体装置２により起動し、このアプリケーションプログラム４Ｂの処理により、入力装置３５に設けられた受信部２２を処理部７により制御してラジオ放送が受信され、この受信結果による音声データが出力装置４３よりユーザーに提供される。
【００６７】
これによりこの電子機器システム１では、必要に応じてラジオ受信装置としての機能に係る出力装置４３及び入力装置３５を本体装置２に接続するだけの簡易な操作により、また直観的な操作により、手軽にラジオ受信装置としての機能を確保することができる。またこれらによりこの電子機器システム１では、音楽プレイヤー、地図表示装置、ラジオ受信装置の間で機能を切り換える場合、対応するアプリケーションプログラム４Ｂを保持してなる出力装置４１、４２、入力装置３５を付け替え、またこの付け替えに対応するように入力装置３１、３２、３４、出力装置４３を付け替えるだけの簡易な操作により、直観的に、機能を切り換えることができ、これによりこれらの間で機能を切り換える場合でも、直観的な操作により、手軽に機能を切り換えることができる。
【００６８】
これに対してＧＰＳ端末装置としての機能を確保する場合、電子機器システム１では、対応する出力装置４４及び入力装置３６を本体装置２に接続することにより（図１８、図１９）、この場合は入力装置３５に設けられたアプリケーションプログラム４Ｂを本体装置２により起動し、このアプリケーションプログラム４Ｂの処理により、入力装置３６に設けられたＧＰＳ受信部２５の動作を処理部７により制御し、その結果得られる受信結果を処理部７により処理して現在位置が検出され、この検出結果により入力装置３６に設けられた地図データを用いて現在位置がユーザーに提供される。
【００６９】
これによりこの電子機器システム１では、ＧＰＳ端末装置としての機能についても、対応する入力装置３６及び出力装置４４を本体装置２に接続するだけの簡易な操作により、また直観的な操作により、手軽にＧＰＳ端末装置としての機能を確保することができ、これらにより音楽プレイヤー、地図表示装置、ラジオ受信装置、ＧＰＳ端末装置の間で機能を切り換える場合に、直観的な操作により、手軽に機能を切り換えることができる。
【００７０】
これらの機能の確保に関して、電子機器システム１では、入力装置３及び出力装置４に保持されたアプリケーションプログラム４Ｂの起動により、このアプリケーションプログラム４Ｂの対応する出力装置４又は入力装置３が正しく本体装置２に接続されているか否か検出され、正しく接続されている場合に限って、このアプリケーションプログラム４Ｂの実行により処理部７で入力装置を制御してユーザーに提供する音楽ファイル、地図、現在位置等のデータが取得され、必要に応じてこのデータが処理部７により処理された後、出力装置４からユーザーに提供される。
【００７１】
これによりこの電子機器システム１では、このように直観的な操作により、手軽に機能を切り換えることができるようにして、ユーザーが誤った組み合わせにより本体装置２に入力装置３、出力装置４を接続した場合等の、各種の不具合を防止するようになされている。
【００７２】
（３）実施例の効果
以上の構成によれば、プログラムを保持した装置を対応する装置と共に本体装置に接続して、本体装置の演算処理手段がこのプログラムの実行を開始することにより、直観的な操作により、所望する機能を手軽に確保することができる。
【００７３】
またこのように構成して、プログラムを保持した装置の交換により機能を切り換えることにより、直観的な操作により、手軽に機能を切り換えることができる。
【実施例２】
【００７４】
図２２は、図１との対比により本発明の実施例２に係る電子機器システムを示すブロック図である。この電子機器システム５１は、入力装置５３、出力装置５４とは別に、アプリケーションプログラム４Ｂを保持するプログラム装置５５が設けられ、これら入力装置５３、出力装置５４、プログラム装置５５が本体装置５２に接続されて形成される。なおこの電子機器システム５１は、このプログラム装置５５の構成、このプログラム装置５５に関連する構成が異なる点を除いて、実施例１について上述した電子機器システム１と同一に構成されることにより、以下の説明において、実施例１と同一の構成は、対応する符号を付して示し、重複した説明は省略する。
【００７５】
このため本体装置５２は、入力装置５３、出力装置５４、プログラム装置５５を接続可能に、３つのインターフェース５６〜５８が設けられる。なお各インターフェース５６〜５８は、実施例１の電子機器システム１に係るインターフェースと同様に構成される。また各機能に共通な構成として、処理部５９が設けられ、この処理部５９の演算処理回路５９Ｂにより基本プログラム５９Ａ、プログラム装置５５のアプリケーションプログラム４Ｂを実行する。
【００７６】
ここで図２３は、この処理部５９における起動処理手順を示すフローチャートである。処理部７は、インターフェース５６〜５８からの接続の通知によりこの処理手順を開始し、ステップＳＰ５１からステップＳＰ５２に移る。ここで処理部５９は、インターフェース５６〜５８の全てに、外部装置が接続されているか否か判断し、ここで否定結果が得られると、ステップＳＰ５２からステップＳＰ５３に移り、省電力モードに動作モードを戻した後、ステップＳＰ５４に移ってこの処理手順を終了する。これにより本体装置５２においては、インターフェース５６〜５８のうちの一部に外部装置が接続されただけの場合には、一旦、省電力モードから動作を立ち上げた後、元の省電力モードに戻って動作を終了する。
【００７７】
これに対してこれらインターフェース５６〜５８の２つに外部装置が接続された状態で、インターフェース５６〜５８の残る１つに外部装置が接続されることにより、省電力モードから動作を立ち上げてこの起動処理手順を開始した場合、処理部５９は、ステップＳＰ５２において肯定結果が得られることにより、ステップＳＰ５２からステップＳＰ５５に移り、ここでインターフェース５６〜５８に接続された外部装置の１つにのみアプリケーションプログラム（ＡＰ）４Ｂが格納されているか否か判断する。ここで出力装置５４等のユーザーによる誤装着の場合、処理部５９は、否定結果が得られ、ステップＳＰ５５からステップＳＰ５３に移り、省電力モードに動作モードを切り換えた後、ステップＳＰ５４に移ってこの処理手順を終了する。なおこのようなアプリケーションプログラム４Ｂの有無の判定にあっては、実施例１の場合と同様に種々の判定方法を広く適用することができる。
【００７８】
これに対してステップＳＰ５５で肯定結果が得られると、処理部５９は、ステップＳＰ５５からステップＳＰ５６に移り、ここでプログラム装置５５に保持されたアプリケーションプログラム４Ｂを起動する。また続くステップＳＰ５７において、この起動したアプリケーションプログラムの処理により、残るインターフェースに接続された入力装置５３、出力装置５４が、この起動したアプリケーションプログラム４Ｂに対応する装置であるか否か判断する。
【００７９】
ここで否定結果が得られると、制御部３は、ステップＳＰ５３に移り、省電力モードに動作モードを切り換えた後、ステップＳＰ５４に移ってこの処理手順を終了する。これに対してステップＳＰ５７で肯定結果が得られると、ステップＳＰ５４に移ってこの起動処理手順を終了し、これによりこの起動したアプリケーションプログラムに従って、続く一連の処理を実行する。
【００８０】
これらにより処理部５９は、対応する入力装置５３、出力装置５４、プログラム装置５５を本体装置５２に接続して所望する機能を確保できるようにして、出力装置５４、プログラム装置５５が正しい組み合わせによりインターフェース５６〜６８に接続された場合に限って、プログラム装置５５に内蔵のアプリケーションプログラム４Ｂを立ち上げ、このアプリケーションプログラム４Ｂにより一連の処理を実行してユーザーに音楽等を提供する。
【００８１】
なお本体装置５２は、これらの構成の他に、この電子機器システム１における各種機能で共通する構成として、電源回路、操作手段が設けられるようになされている。
【００８２】
入力装置５３、出力装置５４は、アプリケーションプログラム４Ｂがプログラム装置５５に別途設けられている点を除いて、実施例１に係る入力装置３、出力装置４と同一に構成される。これにより電子機器システム５１では、図４〜図６との対比により図２４〜図２６に示すように、音楽プレイヤーの機能に係る入力装置５３、出力装置５４、プログラム装置５５を接続して音楽プレイヤーとして使用できるようになされている。
【００８３】
しかして図２７は、この音楽プレイヤーに係る電子機器システム５１の一連の処理手順を示すフローチャートである。この電子機器システム５１では、始めにステップＳＰ６１からステップＳＰ６２に移り、本体装置５２に入力装置５３、出力装置５４、プログラム装置５５を接続し、続くステップＳＰ６３において、プログラム装置５５のアプリケーションプログラム４Ｂが起動する。また続くステップＳＰ６４において、このアプリケーションプログラム４Ｂにより入力装置５３、出力装置５４が、図２４〜図２６に示す対応する外部装置であるか否か判断され、ここで否定結果が得られると、ステップＳＰ６５に移って動作を停止する。しかしてこれら一連の処理においては、図２３について上述した起動処理手順により実行される。
【００８４】
続いてこの電子機器システム５１では、入力装置５３、出力装置５４が正しく接続されている場合、アプリケーションプログラム４ＢによりステップＳＰ６６に移り、入力装置５３に処理可能な音楽ファイルが格納されているか否か判断され、ここで否定結果が得られると、ステップＳＰ６７に移って動作を停止する。これに対してステップＳＰ６６で肯定結果が得られると、ステップＳＰ６８に移って入力装置５３に格納された音楽ファイルを処理部５９によりデコードし、続くステップＳＰ６９でスピーカ等より出力する。
【００８５】
また図９〜図１２との対比により図２８〜図３１に示すように、地図表示装置の機能に係る入力装置５３、出力装置５４、プログラム装置５５を接続して、この電子機器システム５１を地図表示装置として使用できるようになされている。
【００８６】
しかして図３２は、この地図表示装置に係る電子機器システム５１の一連の処理手順を示すフローチャートである。この電子機器システム５１では、始めにステップＳＰ７１からステップＳＰ７２に移り、本体装置５２に入力装置５３、出力装置５４、プログラム装置５５を接続し、続くステップＳＰ７３において、プログラム装置５５のアプリケーションプログラム４Ｂが起動する。また続くステップＳＰ７４において、このアプリケーションプログラム４Ｂにより入力装置５３、出力装置５４が、図２８〜図３１に示す対応する外部装置であるか否か判断され、ここで否定結果が得られると、ステップＳＰ７５に移って動作を停止する。しかしてこれら一連の処理においては、図２３について上述した起動処理手順により実行される。
【００８７】
続いてこの電子機器システム５１では、入力装置５３、出力装置５４が正しく接続されている場合、アプリケーションプログラム４ＢによりステップＳＰ７６に移り、入力装置５３に処理可能な地図データが格納されているか否か判断され、ここで否定結果が得られると、ステップＳＰ７７に移って動作を停止する。これに対してステップＳＰ７６で肯定結果が得られると、ステップＳＰ７８に移って入力装置５３に格納された地図データを処理部５９により処理し、続くステップＳＰ７９で出力装置５４により表示する。
【００８８】
また図１６との対比により図３３に示すように、電子機器システム５１は、ラジオ受信装置の機能に係る入力装置５３、出力装置５４、プログラム装置５５を接続してラジオ受信装置として使用できるようになされている。
【００８９】
しかして図３４は、このラジオ受信装置に係る電子機器システム５１の一連の処理手順を示すフローチャートである。この電子機器システム５１では、始めにステップＳＰ８１からステップＳＰ８２に移り、本体装置５２に入力装置５３、出力装置５４、プログラム装置５５を接続し、続くステップＳＰ８３において、プログラム装置５５のアプリケーションプログラム４Ｂが起動する。また続くステップＳＰ８４において、このアプリケーションプログラム４Ｂにより入力装置５３、出力装置５４が、図３３に示す対応する外部装置であるか否か判断され、ここで否定結果が得られると、ステップＳＰ８５に移って動作を停止する。しかしてこれら一連の処理においては、図２３について上述した起動処理手順により実行される。
【００９０】
続いてこの電子機器システム５１では、入力装置５３、出力装置５４が正しく接続されている場合、アプリケーションプログラム４ＢによりステップＳＰ８６に移り、入力装置５３の受信部を制御してラジオ放送を受信し、続くステップＳＰ８７でこの受信したラジオ放送の音声データをスピーカ等より出力する。
【００９１】
また図２０との対比により図３５に示すように、電子機器システム５１は、ＧＰＳ端末装置の機能に係る入力装置５３、出力装置５４、プログラム装置５５を接続してＧＰＳ端末装置として使用できるようになされている。
【００９２】
しかして図３６は、このＧＰＳ端末装置に係る電子機器システム５１の一連の処理手順を示すフローチャートである。電子機器システム５１は、始めにステップＳＰ９１からステップＳＰ９２に移り、本体装置５２に入力装置５３、出力装置５４、プログラム装置５５を接続し、続くステップＳＰ９３において、プログラム装置５５のアプリケーションプログラム４Ｂが起動する。また続くステップＳＰ９４において、このアプリケーションプログラム４Ｂにより入力装置５３、出力装置５４が対応する外部装置か否か判断され、ここで否定結果が得られると、ステップＳＰ９５に移って動作を停止する。しかしてこれら一連の処理においては、図２３について上述した起動処理手順により実行される。
【００９３】
続いてこの電子機器システム５１では、対応する外部装置が正しく接続されている場合、アプリケーションプログラム４ＢによりステップＳＰ９６に移り、入力装置５３に設けられたＧＰＳ受信部２５（図１９参照）の制御により、ＧＰＳ衛星からの電波受信結果を取得し、この受信結果の処理部５９による処理により現在位置を計算する。ここで現在位置を正しく取得できたか否か判断し、正しく取得できていない場合には、ステップＳＰ９６からステップＳＰ９７に移った後、ステップＳＰ９７により再度、位置情報を取得する。
【００９４】
これに対して正しく位置情報を取得できた場合には、ステップＳＰ９８に移り、ここでこの位置情報により地図データを取得して処理し、続くステップＳＰ９９において、この地図データによる地図を表示して現在位置を表示する。
【００９５】
この実施例に係る電子機器システム５１では、これら音楽プレイヤー、地図表示装置、ラジオ受信装置、ＧＰＳ端末装置に加えて、各種ファイルのコピー装置、マイクによる音声信号の処理装置としての機能が用意され、これによりこれらコピー装置、音声信号の処理装置としての機能に係るプログラム装置５５、入力装置５３、出力装置５４が設けられる。
【００９６】
ここで図３７は、コピー装置に係るプログラム装置５５を接続した場合を示す平面図である。このプログラム装置５５には、残る２つのインターフェースに接続された装置間でファイルを転送するアプリケーションプログラム４Ｂが設けられ、これらファイル転送に供する装置として、各種の記録媒体を適用することができるようになされている。具体的に、この実施例では、メモリカード、ハードディスク装置、光ディスク装置等を入力装置、出力装置に適用することができ、この図３７に示す例では、入力装置５３及び出力装置５４にそれぞれ光ディスク装置、ハードディスク装置が適用されるようになされている。
【００９７】
しかして図３８は、このコピー装置に係る電子機器システム５１の一連の処理手順を示すフローチャートである。電子機器システム５１は、始めにステップＳＰ１０１からステップＳＰ１０２に移り、本体装置５２に入力装置５３、出力装置５４、プログラム装置５５を接続し、続くステップＳＰ１０３において、プログラム装置５５のアプリケーションプログラム４Ｂが起動する。また続くステップＳＰ１０４において、このアプリケーションプログラム４Ｂにより入力装置５３、出力装置５４が対応する外部装置か否か判断され、ここで否定結果が得られると、ステップＳＰ１０５に移って動作を停止する。しかしてこれら一連の処理においては、図２３について上述した起動処理手順により実行される。
【００９８】
続いてこの電子機器システム５１では、対応する外部装置が正しく接続されている場合、アプリケーションプログラム４ＢによりステップＳＰ１０６に移り、入力装置５３に設定された記録媒体にコピー可能なデータが存在するか否か判断し、ここで否定結果が得られると、ステップＳＰ１０６からステップＳＰ１０７に移ってこの処理手順を終了する。
【００９９】
これに対してコピー可能なデータが存在する場合、ステップＳＰ１０８に移り、ここでこのコピー可能なデータを入力装置５３から出力装置５４に転送して出力装置５４で記録する。
【０１００】
また図３９及び図４０は、音声信号の処理装置に係るプログラム装置を接続した例を示す平面図である。このプログラム装置５５には、対応する入力装置５３の動作を制御して音声データを取得して出力装置５４に出力するアプリケーションプログラムが割り当てられ、またこれに対応してこのアプリケーションプログラムに対応する入力装置５３には、マイクと、このマイクで取得した音声信号を所定利得で増幅する増幅回路、この増幅回路で増幅した音声信号をアナログディジタル変換処理して音声データを出力するアナログディジタル変換回路等が設けられるようになされている。
【０１０１】
これにより図３９における電子機器システム５１では、マイクで取得した音声信号を増幅してスピーカより出力する拡声器として機能するように構成され、また図４０に示す電子機器システム５１では、マイクで取得した音声信号を光ディスク３３等の記録媒体に記録するボイスレコーダとして機能するように構成される。
【０１０２】
しかして図４１は、この音声信号処理装置に係る電子機器システム５１の一連の処理手順を示すフローチャートである。電子機器システム５１は、始めにステップＳＰ１１１からステップＳＰ１１２に移り、本体装置５２に入力装置５３、出力装置５４、プログラム装置５５を接続し、続くステップＳＰ１１３において、プログラム装置５５のアプリケーションプログラム４Ｂが起動する。また続くステップＳＰ１１４において、このアプリケーションプログラム４Ｂにより入力装置５３、出力装置５４が対応する外部装置か否か判断され、ここで否定結果が得られると、ステップＳＰ１１５に移って動作を停止する。
【０１０３】
続いてこの電子機器システム５１では、対応する外部装置が正しく接続されている場合、アプリケーションプログラム４ＢによりステップＳＰ１１６に移り、入力装置５３に音声データの出力を指示し、その結果得られる音声データを出力装置５４に転送する。これにより出力装置５４がスピーカによる装置の場合、この音声データをアナログ信号に変換してスピーカより出力し、またこの出力装置５４が記録媒体の場合、この記録媒体に音声データを記録する。
【０１０４】
これに対して図４２は、この電子機器システム５１を電子書籍の閲覧装置として使用する場合の構成を示す平面図である。この電子機器システム５１は、電子ブックのＢＢｅＢ（ソニー株式会社の登録商標）規格による電子ブックのデータを記録した入力装置５３、画像表示装置としての機能を担う出力装置５４、この電子ブックのデータを出力装置５４に表示するプログラムを保持したプログラム装置５５を本体装置５２に接続して形成される。ここでプログラム装置５５には、出力装置５４に表示する文字サイズ、フォント、ルビを振る等の表示形態の情報、この表示形態を実現可能なフォント等のデータが併せて記録され、これにより図４２との対比により図４３に示すように、プログラム装置５５を交換して、例えば老人向けに大きな文字サイズにより電子書籍を表示したり、また小児用に漢字にルビを振って表示できるようになされている。
【０１０５】
しかして図４４は、この電子書籍の閲覧装置に係る電子機器システム５１の一連の処理手順を示すフローチャートである。この電子機器システム５１では、始めにステップＳＰ１２１からステップＳＰ１２２に移り、本体装置５２に入力装置５３、出力装置５４、プログラム装置５５を接続し、続くステップＳＰ１２３において、プログラム装置５５のアプリケーションプログラム４Ｂである電子書籍の閲覧ソフトが起動する。また続くステップＳＰ１２４において、このアプリケーションプログラム４Ｂにより入力装置５３、出力装置５４が、図４２又は図４３に示す対応する外部装置であるか否か判断され、ここで否定結果が得られると、ステップＳＰ１２５に移って動作を停止する。しかしてこれら一連の処理においては、図２３について上述した起動処理手順により実行される。
【０１０６】
続いてこの電子機器システム５１では、入力装置５３、出力装置５４が正しく接続されている場合、アプリケーションプログラム４ＢによりステップＳＰ１２６に移り、入力装置５３に保持された電子書籍のデータを処理し、続くステップＳＰ１２７において、出力装置５４に表示する。
【０１０７】
この実施例の構成によれば、アプリケーションプログラムを別途、プログラム装置に設けるようにしても、直観的な操作により、手軽に所望する機能を確保し、さらには機能を切り換えることができる。
【実施例３】
【０１０８】
なお上述の実施例においては、本体装置の複数のインターフェースを同一のインターフェースにより構成する場合について述べたが、本発明はこれに限らず、入力装置、出力装置、プログラム装置で異なるインターフェースに設定するようにしてもよい。なおこの場合、例えばプログラム装置のインターフェースにメモリカードのインターフェースを適用する場合等が考えられる。
【０１０９】
また上述の実施例においては、出力装置等に設けられたアプリケーションプログラムにより正しい組み合わせにより本体装置に外部装置が接続されたか否か判定する場合について述べたが、本発明はこれに限らず、このような判定機能にあっては、本体装置に設けるようにしてもよい。
【０１１０】
また上述の実施例においては、音楽プレイヤー等の機能の切り換えに本発明を適用する場合について述べたが、本発明はこれに限らず、これら以外の機能の切り換え等に広く適用することができる。
【産業上の利用可能性】
【０１１１】
本発明は、例えば携帯型の音楽プレイヤー、携帯型の地図表示装置等に適用することができる。
【図面の簡単な説明】
【０１１２】
【図１】本発明の実施例１に係る電子機器システムを示すブロック図である。
【図２】図１の電子機器システムにおける本体装置の起動処理手順を示すフローチャートである。
【図３】図１の電子機器システムにおける音楽プレイヤーの機能に係る出力装置を示すブロック図である。
【図４】図３の出力装置による電子機器システムの構成例を示す平面図である。
【図５】図３の出力装置による電子機器システムの他の構成例を示す平面図である。
【図６】図３の出力装置による電子機器システムの光ディスク装置による構成例を示す平面図である。
【図７】図３の出力装置による電子機器システムの動作の説明に供するフローチャートである。
【図８】図１の電子機器システムにおける地図表示装置の機能に係る出力装置を示すブロック図である。
【図９】図８の出力装置による電子機器システムの構成例を示す平面図である。
【図１０】図８の出力装置による電子機器システムの他の構成例を示す平面図である。
【図１１】図８の出力装置による電子機器システムのハードディスク装置による構成例を示す平面図である。
【図１２】図８の出力装置による電子機器システムの光ディスク装置による構成例を示す平面図である。
【図１３】図８の出力装置による電子機器システムの動作の説明に供するフローチャートである。
【図１４】図１の電子機器システムにおけるラジオ受信装置の機能に係る出力装置を示すブロック図である。
【図１５】図１の電子機器システムにおけるラジオ受信装置の機能に係る入力装置を示すブロック図である。
【図１６】図１４の出力装置、図１５の入力装置による電子機器システムの構成例を示す平面図である。
【図１７】図１４の出力装置、図１５の入力装置による電子機器システムの動作の説明に供するフローチャートである。
【図１８】図１の電子機器システムにおけるＧＰＳ端末装置の機能に係る出力装置を示すブロック図である。
【図１９】図１の電子機器システムにおけるＧＰＳ端末装置の機能に係る入力装置を示すブロック図である。
【図２０】図１８の出力装置、図１９の入力装置による電子機器システムの構成例を示す平面図である。
【図２１】図１８の出力装置、図１９の入力装置による電子機器システムの動作の説明に供するフローチャートである。
【図２２】本発明の実施例２に係る電子機器システムを示すブロック図である。
【図２３】図２２の電子機器システムにおける本体装置の起動処理手順を示すフローチャートである。
【図２４】図２２の電子機器システムにおける音楽プレイヤーの構成例を示す平面図である。
【図２５】図２３とは異なる構成例を示す平面図である。
【図２６】図２２の電子機器システムの光ディスク装置による音楽プレイヤーの構成例を示す平面図である。
【図２７】図２４〜図２６の構成例による電子機器システムの動作の説明に供するフローチャートである。
【図２８】図２２の電子機器システムにおける地図表示装置の構成例を示す平面図である。
【図２９】図２８とは異なる構成例を示す平面図である。
【図３０】ハードディスク装置による地図表示装置の構成例を示す平面図である。
【図３１】光ディスク装置による地図表示装置の構成例を示す平面図である。
【図３２】図２８〜図３１の構成例による電子機器システムの動作の説明に供するフローチャートである。
【図３３】図２２の電子機器システムにおけるラジオ受信装置の構成例を示す平面図である。
【図３４】図３３の構成例による電子機器システムの動作の説明に供するフローチャートである。
【図３５】図２２の電子機器システムにおけるＧＰＳ端末装置の構成例を示す平面図である。
【図３６】図３５の構成例における電子機器システムの動作の説明に供するフローチャートである。
【図３７】図２２の電子機器システムにおけるコピー装置の構成例を示す平面図である。
【図３８】図３７の構成例による電子機器システムの動作の説明に供するフローチャートである。
【図３９】図２２の電子機器システムにおける拡声器の構成例を示す平面図である。
【図４０】図２２の電子機器システムにおけるボイスレコーダの構成例を示す平面図である。
【図４１】図３９、図４０の構成例による電子機器システムの動作の説明に供するフローチャートである。
【図４２】図２２の電子機器システムにおける電子書籍の閲覧装置の構成例を示す平面図である。
【図４３】図４２とは異なるプログラム装置による構成例を示す平面図である。
【図４４】図４２、図４３の構成例による電子機器システムの動作の説明に供するフローチャートである。
【符号の説明】
【０１１３】
１、５１……電子機器システム、２、５２……本体装置、３、３１〜３５、５３……入力装置、４、４１〜４４、５４……入力装置、４Ｂ……アプリケーションプログラム、７、５９……処理部、５５……プログラム装置
【図１】
2006072867.tif 000003
【図２】
2006072867.tif 000004
【図３】
2006072867.tif 000005
【図４】
2006072867.tif 000006
【図５】
2006072867.tif 000007
【図６】
2006072867.tif 000008
【図７】
2006072867.tif 000009
【図８】
2006072867.tif 000010
【図９】
2006072867.tif 000011
【図１０】
2006072867.tif 000012
【図１１】
2006072867.tif 000013
【図１２】
2006072867.tif 000014
【図１３】
2006072867.tif 000015
【図１４】
2006072867.tif 000016
【図１５】
2006072867.tif 000017
【図１６】
2006072867.tif 000018
【図１７】
2006072867.tif 000019
【図１８】
2006072867.tif 000020
【図１９】
2006072867.tif 000021
【図２０】
2006072867.tif 000022
【図２１】
2006072867.tif 000023
【図２２】
2006072867.tif 000024
【図２３】
2006072867.tif 000025
【図２４】
2006072867.tif 000026
【図２５】
2006072867.tif 000027
【図２６】
2006072867.tif 000028
【図２７】
2006072867.tif 000029
【図２８】
2006072867.tif 000030
【図２９】
2006072867.tif 000031
【図３０】
2006072867.tif 000032
【図３１】
2006072867.tif 000033
【図３２】
2006072867.tif 000034
【図３３】
2006072867.tif 000035
【図３４】
2006072867.tif 000036
【図３５】
2006072867.tif 000037
【図３６】
2006072867.tif 000038
【図３７】
2006072867.tif 000039
【図３８】
2006072867.tif 000040
【図３９】
2006072867.tif 000041
【図４０】
2006072867.tif 000042
【図４１】
2006072867.tif 000043
【図４２】
2006072867.tif 000044
【図４３】
2006072867.tif 000045
【図４４】
2006072867.tif 000046